(57)【要約】【課題】  本発明は、インターネットを用いた物品の紛失防止及び徘徊や迷子を防止或いは遺失物に対する遺失番号の付与と管理する方法において、運用面での利便性を目的とし、特にＥ−Mailや電話番号を利用した遺失物や迷子などを管理運用することも目的とする。【解決手段】  各IDデータベース手段は、登録者の電話番号、住所、E−Mail、携帯電話番号などの連絡先が記入されることと、登録者の情報を出力する検索プログラ手段においては、電話番号、E−Mail、携帯電話番号の何れかとパスワードにより前記各IDデータベースへ登録編集ができる手段とを設け処理させる。【選択図】  図２
2005339194.tif 000002
【特許請求の範囲】
【請求項１】
インターネットを用いた物品の紛失防止及び徘徊や迷子を防止或いは遺失物に対する遺失番号の付与と管理する方法であって、
平素身体に着用する衣類、時計などや、携帯する各種物品（オブジェクト）やオブジェクトの付属品（身分証、タグ、ワッペンなど）に対して、識別ID（オブジェクトID）の登録と発行、及び、検索できるオブジェクトやオブジェクトID登録者の情報管理するオブジェクトIDデータベース手段と、該オブジェクトIDデータベースへのアクセス者を認証する認証プログラム手段と、入力したオブジェクトIDに該当するオブジェクトID登録者の情報を出力する検索プログラム手段と、本システム管理者を管理処理する管理者プログラム手段において、
オブジェクトIDデータベース手段は、登録者の電話番号、住所、E−Mail、携帯電話番号などの連絡先が記入されることと、オブジェクトIDに該当するオブジェクトID登録者の情報を出力する検索プログラ手段においては、電話番号、或いはE−Mail、及び携帯電話番号の何れかでもオブジェクトIDに該当するオブジェクトID登録者の情報を出力する検索ができる手段と、を具備することを特徴とするインターネットを利用した遺失物管理システム。
【請求項２】
請求項１の記載において、
インターネットを用いた物品の紛失防止及び徘徊や迷子を防止或いは遺失物に対する遺失番号の付与と管理する手段を利用する利用者に対して、利用者IDの登録と発行、及び、該利用者ID、及び入力されたオブジェクトの紛失や迷子の情報登録を管理する利用者IDデータベース手段と、該利用者IDデータベース手段は、登録者の電話番号、住所、E−Mail、携帯電話番号などの連絡先が記入されることと、利用者IDに該当する利用者の情報を出力する検索プログラ手段においては、電話番号、或いはE−Mail、及び携帯電話番号の何れかでも利用者IDに該当する利用者の情報を出力する検索ができる手段と、を具備することを特徴とするインターネットを利用した遺失物管理システム。
【請求項３】
請求項１乃至請求項２の記載において、
オブジェクトIDが付着しているか、若しくは、オブジェクトと分離できないオブジェクトIDが有るオブジェクトの拾得者の拾得届け情報管理をする拾得者IDデータベース手段と、前記オブジェクトID登録者及び前記利用者ID登録者が遺失者としての遺失届け処理情報を管理する遺失者IDデータベース手段と、前記拾得者IDデータベースと前記遺失者IDデータベースの拾得者や遺失者の検索情報を出力する検索プログラム手段と、該検索プログラムは、拾得者及び遺失者の連絡先等を含まないオブジェクト情報を出力する手段と、通知プログラム手段により、本システム管理者を管理処理する管理者プログラム手段へと、及び、警察施設や関連施設へと自動通報される手段と、を具備することを特徴とするインターネットを利用した遺失物管理システム。
【請求項４】
前記拾得者IDデータベースと前記遺失者IDデータベースへのアクセス認証IDを付与された警察施設や関連施設を認証する認証プログラム手段により、前記検索プログラム手段への拾得者及び遺失者登録情報の情報入出力手段の結果、拾得者と遺失者の情報一致の情報処理結果が有った場合、前記通知プログラム手段により、前期管理者プログラム手段へと、及び、警察施設や関連施設へと自動通報される手段と、を具備することを特徴とするインターネットを利用した遺失物管理システム。
【請求項５】
前記検索プログラム手段により拾得者と遺失者の情報一致の情報処理結果が有った場合において、
次の段階の内容に対応する情報一致処理をするものであり、
１段階目  ；  オブジェクト名、或は、オブジェクトIDか遺失者IDの一致
２段階目  ；  種類、色別などの一致
３段階目  ；  個別情報の一致
上記段階処理を含み、相互の情報入出力手段による情報一致処理は、前記２段階目までの結果情報が、前記通知プログラム手段により、前期管理者プログラム手段へと、及び、警察施設や関連施設へと、更に、拾得者及び遺失者の連絡先等を含まない結果情報出力として、前記拾得者IDデータベースと前記遺失者IDデータベースへと、自動通知される手段と、次に前記３段階目の情報一致処理への要求が有った場合は、前期管理者プログラム手段へと通知される手段と、を具備することを特徴とするインターネットを利用した遺失物管理システム。
【請求項６】
前記拾得者IDデータベース手段と、或いは、前記遺失者IDデータベース手段に新規登録情報が入力された場合、前記通知プログラム手段により、前期管理者プログラム手段へと、及び、警察施設や関連施設へと自動通報される手段と、を具備することを特徴とするインターネットを利用した遺失物管理システム。
【請求項７】
前記拾得者IDデータベース手段と、或いは、前記遺失者IDデータベース手段に新規登録情報が入力された場合、前記検索プログラム手段により掲示板に拾得・遺失の情報が自動掲載される手段と、を具備することを特徴とするインターネットを利用した遺失物の管理システム。
【請求項８】
請求項２の記載において、
遺失者からの取得物に対する報奨金を遺失者IDデータベースから検索プログラム手段により、前記遺失者情報の出力による表示や前記掲示板に表示される手段と、を具備することを特徴とするインターネットを利用した遺失物管理システム。
【請求項９】
前記拾得者IDデータベース手段に新規拾得情報が入力されると、拾得登録日より一定期間経過すると、通知プログラム手段により、前記新規拾得情報の登録人へ経過情報を自動通報する手段と、を具備することを特徴とするインターネットを利用した遺失物管理システム。
【請求項１０】
前記拾得者IDデータベース手段に新規拾得情報が入力されると、前記検索プログラム手段により前記遺失者IDデータベース、及び、前記利用者IDデータベースに有るオブジェクトIDや利用者IDに対しての前記新規取得情報との一致検索結果を、前記通知プログラム手段により、前期管理者プログラム手段へと、及び、警察施設や関連施設へと自動通報される手段と、を具備することを特徴とするインターネットを利用した遺失物管理システム。
【請求項１１】
前記拾得者IDデータベース手段、及び、前記利用者IDデータベース手段よりのオブジェクトや迷子などの保管、保護している管理者及び管理地域、管理施設の情報を管理する保管管理データベース手段と、を具備することを特徴とするインターネットを利用した遺失物管理システム。
【請求項１２】
前記オブジェクトIDデータベースと、前記利用者IDデータベースと、前記拾得者IDデータベースと、前記遺失者IDデータベースと、に対して既に登録されている電話番号、E−Mail、携帯電話番号の何れかとパスワードにより、前記各IDデータベースへ登録編集ができる手段と、を具備することを特徴とするインターネットを利用した遺失物管理システム。
【請求項１３】
請求項１１の記載において、
前記電話番号、E−Mail、携帯電話番号の項目以外に、E−MailとオブジェクトID、或は、製品に付帯する既存の製品製造番号との複合項目とパスワードにより、前記検索プログラム手段により前記各IDデータベースへ登録編集ができる手段と、を具備することを特徴とするインターネットを利用した遺失物管理システム。
【発明の詳細な説明】
【技術分野】
【０００１】
本発明は、インターネットを利用した遺失物管理システムに関するものである。
【背景技術】
【０００２】
遺失物や迷子などの管理にインターネットを用いた手法が色々考案、発明されている。それは、遺失物や徘徊・迷子を未然に防ぐ為の事例、例えば、全地球測位システムであるGPS(Global Positioning System)を用いた端末を予め物品や利用者へ付着させ、それをインターネットに接続されたプログラムやIDデータベースにより、管理する。或いは、拾得者や遺失者に拾得者IDや遺失者ID又は、管理IDと遺失者ID、拾得者IDを対応させて管理する方法などが提案されている。
【０００３】
これら従来のインターネットを利用した遺失物や迷子などの管理手法は、利用者や遺失者及び拾得者への個別番号の登録や管理に重点されており、また、遺失物と迷子の登録や発見も管理者若しくは提供者への一方通行的処理が行われていた。
【発明の開示】
【発明が解決しようとする課題】
【０００４】
上記のごとく、本発明は、インターネットを用いた物品の紛失防止及び徘徊や迷子を防止或いは遺失物に対する遺失番号の付与と管理する方法において、運用面での利便性を目的とし、特にＥ−Mailや電話番号を利用した遺失物や迷子などを管理運用することも目的とする。
【課題を解決するための手段】
【０００５】
上記課題を解決するために、本発明は、製品などのオブジェクトと利用者及び拾得者乃至遺失者の情報管理において、
請求項１に係るオブジェクトやオブジェクトの付属品（身分証、タグ、ワッペンなど）に対して、識別ID（オブジェクトID）の登録と発行をする手段と、前記オブジェクトIDの情報管理するオブジェクトIDデータベース手段と、前記オブジェクトIDを検索できるオブジェクトやオブジェクトID登録者の情報管理するオブジェクトIDデータベース手段と、を設け処理させる。
【０００６】
更に、請求項２に係る利用者に対して、利用者識別IDの登録と発行をする手段と、該利用者識別ID及び入力されたオブジェクト紛失や迷子の情報登録の利用者を管理する利用者IDデータベース手段と、を設け処理させる。
【０００７】
また、請求項３に係る拾得者の拾得届け情報管理する拾得者IDデータベース手段と、前記オブジェクトID登録者及び前記利用登録者の遺失者としての遺失届け情報管理する遺失者IDデータベース手段と、を設け処理させる。
【０００８】
上記各IDデータベース手段は、登録者の電話番号、住所、E−Mail、携帯電話番号などの連絡先が記入されることと、登録者の情報を出力する検索プログラ手段においては、電話番号、E−Mail、携帯電話番号の何れかとパスワードにより、前記各IDデータベースへ登録編集ができる手段と、を設け処理させる。
【０００９】
また、前記電話番号、E−Mail、携帯電話番号の項目以外に、E−MailとオブジェクトID、及び、製品に付帯する既存の製品製造番号との複合項目とパスワードにより、前記各IDデータベースへ登録編集ができる手段、も設け処理させる。
【００１０】
次に、上記各IDデータベースへのアクセス者を認証する認証プログラム手段と、入力したオブジェクトIDに該当するオブジェクトID登録者の情報を出力する検索プログラム手段と、本システム管理者を管理処理する管理者プログラム手段と、を設け処理させる。
【００１１】
これは次に、前記拾得者IDデータベースと前記遺失者IDデータベースを検索できる拾得者や遺失者の情報を出力する検索プログラム手段において、アクセス認証IDを付与された警察施設や関連施設を認証する認証プログラム手段により、該検索プログラムから、拾得者及び遺失者の登録情報を出力する手段と、を設け処理させる。
【００１２】
この時、前記拾得者IDデータベースと前記遺失者IDデータベースの拾得者や遺失者の検索情報を出力する検索プログラム手段と、該検索プログラムは、拾得者及び遺失者の連絡先等を含まない登録情報を出力する手段と、通知プログラム手段により、本システム管理者を管理処理する管理者プログラム手段へと、及び、警察施設や関連施設へと自動通報される手段と、を設け処理させる。
【００１３】
前記拾得者IDデータベースと前記遺失者IDデータベースへのアクセス認証IDを付与された警察施設や関連施設を認証する認証プログラム手段により、前記検索プログラム手段への拾得者及び遺失者登録情報の情報入出力手段の結果、拾得者と遺失者の情報一致の情報処理結果が有った場合、前記通知プログラム手段により、前期管理者プログラム手段へと、及び、警察施設や関連施設へと自動通報される手段と、を設け処理させる。
【００１４】
次に、前記拾得者と遺失者の情報一致の情報処理結果が有った場合において、
次の段階の内容に対応する情報一致処理をするものであり、
１段階目  ；  オブジェクト名、或は、オブジェクトIDか遺失者IDの一致
２段階目  ；  種類、色別などの一致
３段階目  ；  個別情報の一致
上記段階処理を含み、相互の情報入出力手段による情報一致処理は、前記２段階目までの結果情報が、前記通知プログラム手段により、前期管理者プログラム手段へと、及び、警察施設や関連施設へと、更に、拾得者及び遺失者の連絡先等を含まない結果情報出力として、前記拾得者IDデータベースと前記遺失者IDデータベースへと、自動通知される手段と、次に前記３段階目の情報一致処理への要求が有った場合は、前期管理者プログラム手段へと通知される手段と、を設け処理させる。また、段階処理の方法は、これより詳細な段階処理されても良い。
【００１５】
更に、前記拾得者IDデータベース手段と、或いは、前記遺失者IDデータベース手段に新規登録情報が入力された場合、前記通知プログラム手段により、前期管理者プログラム手段へと、及び、警察施設や関連施設へと自動通報される手段と、を設け処理させる。
【００１６】
又は、前記拾得者IDデータベース手段と、或いは、前記遺失者IDデータベース手段に新規登録情報が入力されると、掲示板に拾得・遺失情報が自動掲載される掲示プログラム手段と、を設け処理させる。
【００１７】
本発明者は、遺失物や迷ペットなどで、高価な物や個人的に貴重な物について
は、遺失の発見や情報収集及び回収される為の遺失者からの取得物に対する報奨金を遺失者IDデータベースからの出力手段により、前記遺失者情報や前記掲示板に表示される手段と、を設け処理させる。
【００１８】
請求項９に係る前記拾得者IDデータベース手段に新規拾得情報が入力されると、拾得登録日より一定期間経過すると、通知プログラム手段により、前記新規拾得情報の登録人へ経過情報を自動通報する手段と、を設け処理させる。
【００１９】
請求項１１に係る前記拾得者IDデータベース手段、及び、前記利用者IDデータベース手段よりのオブジェクトや迷子などを保管、保護している管理者及び管理地域、管理施設の情報を管理する保管管理データベース手段と、を設け処理させる。
【発明の効果】
【００２０】
本発明によるインターネットを利用した遺失物管理システムは、上記の如く、利用者、拾得者、遺失者のインターネットに接続された端末機の画面表示から、瞬時に、遺失物や迷子、迷ペットなどの情報処理とその運用実施を計れるものである。また、情報登録や各種処理に必要な情報処理もメールや電話番号などの使い慣れた入力記号での操作を提供するものである。
【発明を実施するための最良の形態】
【００２１】
インターネットを利用した遺失物管理システムにおいて、オブジェクト（被遺失物）に遺失形態、遺失経緯などを数値化して用い、その情報処理と運用実施などの各種処理に必要な情報処理もメールや電話番号などの使い慣れた入力記号での操作を提供することにより簡便な遺失関連情報を提供することを可能にする。
【実施例】
【００２２】
この発明は、色々な実施形態で実現できるが、本発明の代表的な実施形態について詳しく説明する。以下、添付図面を参照して説明する。
図１は、本発明の請求項１乃至請求項１０の記載においての基本構成の表示図。
図２は、本発明の請求項３乃至請求項１３の記載において１実施例の表示図。
図３は、本発明の請求項９乃至請求項１１の記載においての１実施例の表示図。
【００２３】
請求項１記載の本発明による１実施例は、図１、図２によれば、
インターネットを用いた物品の紛失防止及び徘徊や迷子を防止或いは遺失物に対する遺失番号の付与と管理する方法であって、
平素身体に着用する衣類、時計などや、携帯する各種物品（オブジェクト）やオブジェクトの付属品（身分証、タグ、ワッペンなど）に対して、識別ID（オブジェクトID）１の登録と発行、及び、検索できるオブジェクトやオブジェクトID登録者の情報管理するオブジェクトIDデータベース２の手段と、オブジェクトIDデータベース２へのアクセス者を認証する認証プログラム３の手段と、入力したオブジェクトID１に該当するオブジェクトID登録者の情報を出力する検索プログラム４の手段と、本システム管理者を管理処理する管理者プ
ログラム５の手段が、先ず基本に構成されている。
【００２４】
次に、オブジェクトIDデータベース２は、登録者の電話番号、住所、E−Mail、携帯電話番号などの連絡先が記入されることと、オブジェクトID１に該当するオブジェクトID登録者の情報を出力する検索プログラ４においては、電話番号
、或いはE−Mail、及び携帯電話番号の何れかでもオブジェクトID１に該当するオブジェクトID登録者の情報を出力する検索ができることを特色とする。
【００２５】
請求項２記載の本発明による１実施例は、図１、図２によれば、
インターネットを用いた物品の紛失防止及び徘徊や迷子を防止或いは遺失物に対する遺失番号の付与と管理する手段を利用する利用者に対して、利用者ID６の登録と発行、及び、利用者ID６、及び入力されたオブジェクトの紛失や迷子の情報登録を管理する利用者IDデータベース７の手段と、利用者IDデータベース７は登録者の電話番号、住所、E−Mail、携帯電話番号などの連絡先が記入されることと、利用者ID６に該当する利用者の情報を出力する検索プログラ４の手段においては電話番号、或いはE−Mail、及び携帯電話番号の何れかでも利用者ID６に該当する利用者の情報を出力する検索ができることも特色とする。
【００２６】
請求項３記載の本発明による１実施例は、図１、図２によれば、
オブジェクトID１が付着しているか、若しくは、オブジェクトと分離できないオブジェクトID１が有るオブジェクトの拾得者の拾得届け情報管理をする拾得者IDデータベース８の手段と、オブジェクトID登録者及び利用者ID登録者が遺失者としての遺失届け処理情報を管理する遺失者IDデータベース９の手段と
、拾得者IDデータベース８と遺失者IDデータベース９の拾得者や遺失者の検索情報を出力する検索プログラム４の手段と、検索プログラム４は、拾得者及び遺失者の連絡先等を含まないオブジェクト情報を出力する手段と、通知プログラム７の手段により、本システム管理者を管理処理する管理者プログラム５の手段へと、警察施設１１や関連施設１２へと自動通報される手段と、により構成されている。
【００２７】
請求項４記載の本発明による１実施例は、図１、図２によれば、
拾得者IDデータベース８と遺失者IDデータベース９へのアクセス認証IDを付与された警察施設１１や関連施設１２を認証する認証プログラム３の手段により
、検索プログラム４の手段から拾得者及び遺失者登録情報の情報入出力手段の結果、拾得者と遺失者との情報一致の情報処理結果が有った場合、通知プログラム１０の手段により管理者プログラム５の手段へと、警察施設１１や関連施設１２へと自動通報される手段と、により構成されている。
【００２８】
請求項５記載による１実施例は、図２、図３によれば
検索プログラム４の手段により拾得者と遺失者の情報一致の情報処理結果が有った場合において、
次の段階の内容に対応する情報一致処理をするものであり、
１段階目  ；  オブジェクト名、或は、オブジェクトIDか遺失者IDの一致
２段階目  ；  種類、色別などの一致
３段階目  ；  個別情報の一致
上記段階処理を含み、相互の情報入出力手段による情報一致処理は、前記２段階目までの結果情報が、通知プログラム１０の手段により、管理者プログラム５の手段へと、警察施設１１や関連施設１２へと、更に、拾得者及び遺失者の連絡先等を含まない結果情報出力として、拾得者IDデータベース８と遺失者IDデータベース９へと、自動通知される手段と、次に前記３段階目の情報一致処理への要求が有った場合は、管理者プログラム５手段へと通知される手段と、により構成されている。
【００２９】
次に、拾得者IDデータベース８と、或いは、遺失者IDデータベース９に新規登録情報が入力された場合、通知プログラム１０の手段により、前記新規登録情報の情報を出力する通知プログラム１０により、管理者プログラム５の手段へと
、警察施設１１や関連施設１２へと自動通報される手段と、により構成されている。これにより、拾得者或いは遺失者への瞬時の対応を可能にする。
【００３０】
請求項７記載による１実施例は、図２によれば、
拾得者IDデータベース８と、或いは、遺失者IDデータベース９に新規登録情報が入力された場合、検索プログラム４により掲示板１３に拾得・遺失情報が自動掲載される手段を表し、これにより、拾得者や遺失者が、インターネットに接続されている端末画面により、いち早く対応処理できるものである。
【００３１】
請求項８記載による１実施例は、図２によれば、
遺失者からの取得物に対する報奨金を遺失者IDデータベース９から検索プログラム４により、遺失者情報の出力による表示や掲示板１３に表示されることにより、従来では、戻って来ないオブジェクト、特に個人的に貴重な手帳やキーなどの返還を促すものである。
【００３２】
請求項９記載による１実施例は、図２によれば、
拾得者IDデータベース８に新規拾得情報が入力されると、拾得登録日より一定期間経過すると、通知プログラム手段により、前記新規拾得情報の登録人へ経過情報を自動通報する手段を設けることにより、拾得者の権利をできるだけ保護するものである。従来では、このような拾得者の親切や権利を保護育成することができないものであった。
【００３３】
請求項１０記載による１実施例は、図２によれば、
拾得者IDデータベース８に新規拾得情報が入力されると、検索プログラム４の手段により遺失者IDデータベース９、及び、利用者IDデータベース７に有るオブジェクトID１や利用者ID６に対しての前記新規拾得情報との一致検索結果を、通知プログラム１０の手段により、管理者プログラム５の手段へと、警察施設１１や関連施設１２へと自動通報される手段と、に構成されることにより、拾得者、或いは、遺失者への瞬時の対応を可能にする。
【００３４】
請求項１１記載による１実施例は、図３によれば、
拾得者IDデータベース８と利用者IDデータベース７よりのオブジェクトや迷子などの保管、保護している管理者及び管理地域、管理施設の情報を管理する保管管理データベース１４の手段からの情報出力により、遺失者は、いち早く自分のオブジェクトや迷子、迷ペットなどの所在地や遺失状況が分かる。
【００３５】
請求項１２記載による１実施例は、図２によれば、
オブジェクトIDデータベース２と、利用者IDデータベース７と、拾得者IDデータベース８と、遺失者IDデータベース９と、に対して既に登録されている電話番号、E−Mail、携帯電話番号の何れかとパスワードにより、前記各IDデータベースへ登録編集ができる手段を設けることにより、煩わしい桁数の多いIDや識別番号などによる端末機のキー入力操作の不便を解消するものである。
【００３６】
請求項１２記載による１実施例は、図２によれば、
電話番号、E−Mail、携帯電話番号の項目以外にE−MailとオブジェクトID１、及び、製品に付帯する既存の製品製造番号との複合項目とパスワードにより
、前記各IDデータベースへ登録編集ができる構成を設けた。これにより、製品に付帯する既存の製品製造番号が、本発明のインターネットを利用した遺失物管理システムに利用できることを目的する。
【産業上の利用可能性】
【００３７】
本発明によるインターネットを利用した遺失物管理システムは、上記の如く、利用者、拾得者、遺失者のインターネットに接続された端末機の画面表示から、瞬時に、遺失物や迷子、迷ペットなどの情報処理とその運用実施を計れるものである。また、情報登録や各種処理に必要な情報処理もメールや電話番号などの使い慣れた入力記号での操作を提供するものである。
【図面の簡単な説明】
【００３８】
【図１】本発明の請求項１乃至請求項９の記載においての基本構成の表示図。
【図２】本発明の請求項３乃至請求項１２の記載において１実施例の表示図。
【図３】本発明の請求項９乃至請求項１０の記載においての１実施例の表示図。
【符号の説明】
【００３９】
１  ：  オブジェクトID
２  ：  オブジェクトIDデータベース
３  ：  認証プログラム
４  ：  検索プログラム
５  ：  管理者プログラム
６  ：  利用者ID
７  ：  利用者IDデータベース
８  ：  拾得者IDデータベース
９   ：  遺失者IDデータベース
１０  ：  通知プログラム
１１  ：  警察施設
１２  ：  関連施設
１３  ：  掲示板
１４  ：  保管管理データベース
【図１】
2005339194.tif 000003
【図２】
2005339194.tif 000004
【図３】
2005339194.tif 000005